(57)【特許請求の範囲】
【請求項１】
足掛け部を備えた足掛け枠体と、該足掛け枠体が倒立自在に連結された基体と、該足掛け枠体の起立支持機構とを具備してなり、
前記基体は、一対の側枠と一対の該側枠間に設けた連結固定板とを備え、該連結固定板は、寝具上に仰向けに寝た被介護者の背側部と該寝具との間に介在可能に設けられており、
前記足掛け枠体は、一対の起立枠と一対の該起立枠間に架設された前記足掛け部とを備えて形成され、一対の該起立枠それぞれの一端部を介して、前記基体の一対の前記側枠それぞれの一端部に倒立自在に連結されており、
前記起立支持機構は、前記足掛け枠体を、その前記足掛け部を水平に位置させて、前記基体に対して所望角度の起立状態で段階的に支持固定するように、該足掛け枠体と該基体との間に設けられ、該足掛け枠体を、一対の前記側枠それぞれの前記一端部の延長方向に伏倒させた伏倒状態から所望角度に起立させた起立状態で支持するようになしてあり、
また、前記起立支持機構は、前記足掛け枠体を一定角度以上に起立させると前記伏倒状態に戻し得るようになしてあり、且つ前記足掛け枠体を一定角度以上起立させることにより、該足掛け枠体を前記基体上に折り重ね可能になしてあり、
更に、前記起立支持機構は、一対の前記起立枠それぞれの前記一端部と前記側枠それぞれの一端部との連結部に設けられており、
使用に際して、伏倒状態の前記足掛け部に、寝具上に仰向けに寝ている被介護者の両膝が掛かり且つ前記連結固定板が該被介護者の背中及び臀部と該寝具との間に介在した状態下に、前記足掛け枠体を起立させて被介護者の脚部を持ち上げ、起立された該足掛け枠体を、所望角度の起立状態下に前記起立支持機構で支持するようになしてあるおむつ取換え介護装置。
【請求項２】
前記起立支持機構が、ラチェット機構からなる、請求項１に記載のおむつ取換え介護装置。
【請求項３】
前記連結固定板の一部が、該連結固定板の水平延長方向で且つ前記基体の一対の前記側枠それぞれの前記一端部間において、該一端部間より外方に突出している、請求項１又は２に記載のおむつ取換え介護装置。
【発明の詳細な説明】
【技術分野】
【０００１】
本発明は、おむつ取換え介護装置、詳しくは、病人や老人等の被介護者のおむつの取換えを容易に行えるようにする、簡易な構造のおむつ取換え介護装置に関する。
【背景技術】
【０００２】
従来より、病人や老人等の寝たきりの被介護者のおむつの取換えは、通常、被介護者の脚部及び腰部を持ち上げて行っており、このような持ち上げ作業には、数人の介護者を必要とする等、多大な労力を要した。
そこで、介護者の労力を軽減するために、一人の介護者により被介護者の脚部及び腰部を持ち上げ可能にした装置として、特開２００２−１７７９６号公報、特開２００１−５４５３０号公報、特開２０００−１７５９５１号公報及び特開２０００−３３３９８１号公報等に記載の発明等が提案されている。
【０００３】
しかし、上述の装置による場合、体の硬い被介護者にとって、おむつの取換え時に、脚部と共に腰部を持ち上げられることは、腰部に負担が掛かり大きな苦痛を伴う他に、上述の装置は下記のような問題を有していた。
特開２００２−１７７９６号公報に記載の装置は、脚部の膝裏に当接するリフト手段、該リフト手段を被介護者の方向に旋回して持ち上げる旋回手段及びこれによって持ち上げられたリフト手段を更に介護者の方向に競り上げて持ち上げる競上手段を具備してなるもので、構造的に大掛かりな装置である。
また、特開２００１−５４５３０号公報に記載の装置は、簡易な構造ではなく、使用に際して、介護者が被介護者の脚部を持ち上げて脚受１９の上に配置する必要がある等、それなりの労力を要するものである。
特開２０００−１７５９５１号公報に記載の器具は、比較的簡易な構造の物ではあるが、使用時において、介護者が器具から手を離すと倒れ易い物である。
また、特開２０００−３３３９８１号公報に記載のおむつ交換器は、簡易な構造で、ラチェット金具により支軸の角度を多段階にロック出来るものである。しかし、このおむつ交換器は、その使用時において、極めて不安定なものである。
【０００４】
そこで、本発明者等は、上述の装置の欠点を改良した装置として、特開２００４−１３２４１７号公報に記載の発明を提案したが、この装置は、足掛け枠体の起立操作に労力を要した。
【０００５】
更に、本発明者等は、上述の装置の欠点を改良した装置として、特開２００５−２０５１５４号公報及び特開２００５−２６１６２０号公報に記載の発明を提案した。しかし、前者の装置は、依然として前記足掛け枠体の起立操作に労力を要し、また、後者の装置は、上述の装置の欠点をかなり改良した装置であるが、この装置の実施例に示されているラチェット機構は、前記おむつ交換器におけるラチェット金具と同様に、該装置の使用時における安定性の確保上、基体２０の中途に設けられているため、前記足掛け枠体の所望角度の起立状態での支持固定及び該起立状態の解除を円滑に行い得るようにするには、高価なものになる。
【０００６】
【特許文献１】特開２００２−１７７９６号公報
【特許文献２】特開２００１−５４５３０号公報
【特許文献３】特開２０００−１７５９５１号公報
【特許文献４】特開２０００−３３３９８１号公報
【特許文献５】特開２００４−１３２４１７号公報
【特許文献６】特開２００５−２０５１５４号公報
【特許文献７】特開２００５−２６１６２０号公報
【発明の開示】
【発明が解決しようとする課題】
【０００７】
従って、本発明の目的は、病人や老人等の被介護者のおむつの取換え使用時における操作が容易で且つ安定性に優れた、簡易な構造のおむつ取換え介護装置を提供することにある。
【課題を解決するための手段】
【０００８】
本発明は、足掛け部を備えた足掛け枠体と、該足掛け枠体が倒立自在に連結された基体と、該足掛け枠体の起立支持機構とを具備してなり、前記基体は、一対の側枠と一対の該側枠間に設けた連結固定板とを備え、該連結固定板は、寝具上に仰向けに寝た被介護者の背側部と該寝具との間に介在可能に設けられており、前記足掛け枠体は、一対の起立枠と該起立枠間に架設された前記足掛け部とを備えて形成され、一対の該起立枠それぞれの一端部を介して、前記基体の一対の前記側枠それぞれの一端部に倒立自在に連結されており、
前記起立支持機構は、前記足掛け枠体を、その前記足掛け部を水平に位置させて、前記基体に対して所望角度の起立状態で段階的に支持固定するように、該足掛け枠体と該基体との間に設けられ、該足掛け枠体を、一対の前記側枠それぞれの前記一端部の延長方向に伏倒させた伏倒状態から所望角度に起立させた起立状態で支持するようになしてあり、また、前記起立支持機構は、前記足掛け枠体を一定角度以上に起立させると前記伏倒状態に戻し得るようになしてあり、且つ前記足掛け枠体を一定角度以上起立させることにより、該足掛け枠体を前記基体上に折り重ね可能になしてあり、更に、前記起立支持機構は、一対の前記起立枠それぞれの前記一端部と前記側枠それぞれの一端部との連結部に設けられており、使用に際して、前記連結固定板の一部が、該連結固定板の水平延長方向で且つ前記基体の一対の前記側枠それぞれの前記一端部間において、該一端部間より外方に突出しており、使用に際して、伏倒状態の前記足掛け部に、寝具上に仰向けに寝ている被介護者の両膝が掛かり且つ前記連結固定板が該被介護者の背中及び臀部と該寝具との間に介在した状態下に、前記足掛け枠体を起立させて被介護者の脚部を持ち上げ、起立された該足掛け枠体を、所望角度の起立状態下に前記起立支持機構で支持するようになしてある、おむつ取換え介護装を提供することにより、上記目的を達成したものである。
【発明の効果】
【０００９】
本発明のおむつ取換え介護装置は、使用に際して、伏倒状態の前記足掛け部に、寝具上に仰向けに寝ている被介護者の両膝が掛かり且つ前記連結固定板を該被介護者の背中及び臀部と該寝具との間に介在した状態下に、前記足掛け枠体を起立させて被介護者の脚部を持ち上げ、起立された該足掛け枠体を、所望角度の起立状態下に前記起立支持機構で支持するようになしてあるため、本発明のおむつ取換え介護装置によれば、被介護者の体を、簡便な操作で容易におむつ取換え可能な状態にすることができる。その結果、一人の介護者でおむつを容易に取り替え可能であるから、おむつ取り替え時に被介護者へ無用な負担をかけること無く、労力の軽減化も図れる。
また、本発明のおむつ取換え介護装置は、前記起立支持機構を、前記足掛け枠体を一定角度以上に起立させると前記伏倒状態に戻し得るようになしてあり、且つ前記足掛け枠体を一定角度以上起立させることにより、該足掛け枠体を前記基体上に折り重ね可能になしてあるから、使用時の操作を一層容易になし得る。
【００１０】
本発明のおむつ取換え介護装置を、その好ましい一実施形態について、図１〜図５を参照して説明する。
本実施形態のおむつ取換え介護装置は、図１〜図３に示すように、足掛け部１２を備えた足掛け枠体１と、該足掛け枠体１が倒立自在に連結された基体２と、該足掛け枠体１の起立支持機構３とを具備している。
前記基体２は、一対の側枠２１，２１と一対の該側枠２１，２１間に設けた連結固定板である水平固定板２２とを備え、該水平固定板（連結固定板）２２は、図４に示すように、寝具上に仰向けに寝た被介護者Ｐの背側部（腰部Ｐ４及び臀部Ｐ３）と該寝具との間に介在可能に設けられている。
前記足掛け枠体１は、一対の起立枠１１，１１と一対の該起立枠１１，１１間に架設された前記足掛け部１２とを備えて形成され、一対の該起立枠１１，１１それぞれの一端部１１Ａを介して、前記基体の一対の前記側枠２１，２１それぞれの一端部２１Ａに倒立自在に連結されている。
【００１１】
前記起立支持機構３は、前記足掛け枠体１を、その前記足掛け部１２を水平に位置させて、前記基体２に対して所望角度の起立状態で段階的に支持固定するように、該足掛け枠体１と該基体２との間に設けられ、該足掛け枠体１を、一対の前記側枠２１，２１それぞれの前記一端部２１Ａの延長方向に伏倒させた伏倒状態（図１参照）から所望角度に起立させた起立状態（図２〜図４参照）で支持するようになしてある。
また、前記起立支持機構３は、前記足掛け枠体１を一定角度以上に起立させると、図1に示すように、前記伏倒状態に戻し得るようになしてあり、且つ前記足掛け枠体１を一定角度以上起立させることにより、図５に示すように、該足掛け枠体１を前記基体２上に折り重ね可能になしてある。
前記起立支持機構３は、一対の前記起立枠１１，１１それぞれの前記一端部１１Ａと前記側枠２１，２１それぞれの一端部２１Ａとの間に設けられており、ラチェット機構からなっている。このラチェット機構としては、背もたれの角度を調節可能な市販の坐椅子に用いられているものを利用出来る.。
【００１２】
前記足掛け部１２は円筒体又は円柱体で、その周囲方向に回動自在に、前記足掛け枠体１に架設されており、該足掛け部１２の周囲には柔軟性部材が巻回されている。尚、前記足掛け部１２は円筒体又は円柱体で、前記足掛け枠体１に固定的に架設されており、その周囲方向に回動自在に柔軟性部材が巻回されていても良い。また、前記足掛け部１２を、一対の前記起立枠１１，１１間において、着脱自在に且つ複数箇所移動自在に架設することにより、脚の長さ等の異なる被介護者に対して、本発明のおむつ取換え介護装置を一層容易に適応させることができる。前記足掛け部１２を、着脱自在に且つ複数箇所移動自在に架設するためには、例えば、前記起立枠１１，１１の所定位置にそれぞれに前記足掛け部１２の軸を支持する支持孔（図示せず）を設ければ良い。
【００１３】
本実施形態のおむつ取換え介護装置においては、前記水平固定板２２の一部が、図示のように、該水平固定板２２の水平延長方向で且つ前記基体２の一対の前記側枠２１，２１それぞれの前記一端部２１Ａ，２１Ａ間において、該一端部２１Ａ，２１Ａ間より外方に突出する台形状の突出部２２Ａを有している。この突出部２２Ａは、図２〜図４に示すように、前記足掛け枠体１を、前記基体２に対して、所望角度の起立状態で支持固定した際に、該足掛け枠体１と該基体２とをバランスさせて、おむつ取換え介護装置が倒れないように補助する機能を有している。
【００１４】
本実施形態のおむつ取換え介護装置について更に説明すると、前記足掛け枠体１と前記基体２との折り重ねた状態、即ちおむつ取換え介護装置の不使用時の状態では、図５に示すように、それらの連結部、即ち前記起立支持機構３の設置部分で屈曲しており、前記足掛け枠体１の起立状態では、図２〜図４に示すように、該起立支持機構３により、前記足掛け枠体１を前記基体２に対して所定角度αの起立状態で支持するようになっている。また、おむつ取換え介護装置の使用開始直前においては、前記起立支持機構３により、前記足掛け枠体を一定角度以上に起立させると、図１に示すように、前記伏倒状態に戻し得るようになしてある。
【００１５】
また、前記足掛け枠体１は、金属製のパイプ材で、H字状に形成されており、その前記足掛け部１２の幅は、被介護者Pの２つの脚部P２の幅よりも充分に広くなっている。前記柔軟性部材１３は、使用時における被介護者Ｐの両膝Ｐ１と足掛け部１２との緩衝材としての役割を果たすもので、本実施形態においては、足掛け部１２を被嵌し得る円筒状の発泡ウレタン材を用いている。
【００１６】
前記基体２の前記側枠２１，２１は、前記足掛け枠体１と同じく金属製のパイプ材から形成されており、該側枠２１，２１間に設けた前記水平固定板２２は、該側枠２１，２１間に亘っていれば、１枚板でなくても良く、図２に点線間で示すように、適宜空隙２２Ｐが設けられていても良い。そうすることにより、おむつ取換え介護装置全体の重量の軽減化を図れる。
【００１７】
本実施形態のおむつ取換え介護装置は、上述した構成からなるため、図２〜図４に示すように、起立させた足掛け枠体１を所望の起立角度αで支持することができる。
【００１８】
次に、本実施形態のおむつ取換え介護装置の一使用態様について、図１〜図５を参照しながら説明する。
先ず、図５に示すように、基体２の上に足掛け枠体1を折り重ねた状態（基体２に対して足掛け枠体1を伏倒させた状態）のおむつ取換え介護装置を、図１に示す状態にする。即ち、該足掛け枠体１を、一対の前記側枠２１，２１それぞれの前記一端部２１Ａの延長方向に伏倒させた伏倒状態にする。
【００１９】
次いで、斯かる伏倒状態のおむつ取換え介護装置を、介護者（図示せず）により、図４に示すように、前記基体２の前記水平固定板２２を、寝具上に仰向けに寝た被介護者Ｐの腰部Ｐ４及び臀部Ｐ３と該寝具との間に介在させ、前記足掛け部１２が該被介護者Ｐの両膝Ｐ１の下に位置するように、該足掛け枠体１を配置する。
【００２０】
次に、介護者（図示せず）は、足掛け枠体１１の他端部１１Ｂの近傍を持ち、足掛け部１２に被介護者Ｐの両膝Ｐ１が掛かった状態下に、該他端部１１Ｂを持ち上げて該足掛け枠体１１を起立させる。該足掛け枠体１を持ち上げ、該足掛け枠体１１が、図４に示す起立状態下に到ったら、起立操作を中止し、該足掛け枠体１１をその位置に固定させる。この固定は、起立操作を中止すれば、前記起立支持機構のラチェット機構により自動的に行われる。この状態下においては、被介護者Ｐは、図４に示す状態となる。
【００２１】
然る後、図４に示すように、被介護者Ｐの脚部Ｐ２を持ち上げた状態下（この 状態下に、僅かに臀部Ｐ３及び腰部Ｐ４も持ち上げられる）で、被介護者Ｐが着用しているおむつ（図示せず）の止着部分を展開する。そして、展開したおむつを図４の左方に引き出し、被介護者Ｐからおむつを外す。
おむつを外した後、被介護者Ｐの臀部等の汚れを除去する。その後、新しいおむつ（図示せず）を、図４の左方から右方に向けて、被介護者Ｐの臀部Ｐ３及び腰部Ｐ４と前記水平固定板２２との間に引き入れ、所定の操作で被介護者Ｐに装着する。このようにして、被介護者Ｐのおむつを取換えることができる。
【００２２】
尚、前記足掛け部１２は、起立枠１１，１１間に該足掛け部１２の周方向に回動自在に懸架されているため、図４の状態から、被介護者の脚部Ｐ２を図上左方向に伸ばさせることにより、被介護者Ｐの臀部Ｐ３及び腰部Ｐ４の下部に更に空間を設けて、被介護者Ｐのおむつの取換え操作を更に容易にすることができる。
【００２３】
本実施形態のおむつ取換え介護装置は、前述した構成からなるため、一人の介護者のみで、上述の実施態様により、あお向けに寝た被介護者Ｐの体を、容易におむつ取換え可能な状態にすることができる。この際、被介護者Ｐの腰部P４を過度に持ち上げないため、被介護者Ｐの腰部P４に負担が掛かることがない。しかも、本実施形態のおむつ取換え介護装置は、簡易で且つコンパクトな構造であるため、持ち運び及び操作が容易で且つ安価に製作可能である。
【００２４】
本発明のおむつ取換え介護装置は、前記実施形態に制限されることなく、本発明の趣旨を逸脱しない限り、以下に示すように適宜変更が可能である。
前記実施形態では、前記足掛け枠体１は、略Ｈ字状に形成されているが、Ｈ字状に制限されず、また、基体２は、足掛け枠体１が倒立自在に連結され、該足掛け枠体１を所望の起立角度で支持可能であれば、枠体に限らない。
また、起立支持機構３は、足掛け枠体１を基体２に対して所望の起立角度で支持出来るようになされていれば、実施例で用いているラチェット機構を有するものに限らない。
また、連結固定板２２は、１枚の水平固定板で構成せずに、複数枚の連結固定板を一対の側枠間に設けても良く、そうする事により、おむつ取換え介護装置の重量を軽減させることが出来るが、この場合、前記基体２の一対の前記側枠２１，２１それぞれの前記一端部２１Ａ，２１Ａ間に連結固定板が位置するように、該連結固定板を設けるようにするのが好ましい。
また、足掛け枠体及び基体は、金属材に限らず合成樹脂等から形成することができ、パイプ材に限らず中実の棒材、板材等通常の材料から形成することもできる。柔軟性部材１３としては、適度な柔軟性を有するものであれば、発泡樹脂材、布材等の種々の部材を用いることができる。被介護者に用いられるおむつは、所謂使い捨ておむつでも布等からなるおむつでもよい。
【図面の簡単な説明】
【００２５】
【図１】図１は、本発明の好ましい一実施形態のおむつ取換え介護装置の使用開始前における足掛け枠体の伏倒状態を示す斜視図である。
【図２】図２は、図１に示すおむつ取換え介護装置における足掛け枠体の一起立状態に到る途中段階を示す斜視図である。
【図３】図３は、図１に示すおむつ取換え介護装置において、図２に示す足掛け枠体の起立角度を大きくした該起立枠の起立状態を示す斜視図である。
【図４】図４は、図１に示すおむつ取換え介護装置の図3に示す起立状態を、その使用状態の概要と共に示す側面図である。
【図５】図５は、図１に示すおむつ取換え介護装置の不使用時における折り重ね状態を示す斜視図である。
【符号の説明】
【００２６】
１  足掛け枠体
１１  起立枠
１１Ａ  一端部
１２  足掛け部
１３  柔軟性部材
２  基体
２１  側枠
２１Ａ  一端部
２２  連結固定板（連結水平板）
３  起立支持機構
Ｐ  被介護者
Ｐ１  両膝
Ｐ２  脚部
Ｐ３  臀部
Ｐ４  腰部
【図１】
0004789694.tif 000002
【図２】
0004789694.tif 000003
【図３】
0004789694.tif 000004
【図４】
0004789694.tif 000005
【図５】
0004789694.tif 000006